(57)【要約】【課題】外筒の内筒に対する自己完結型ストッパー機能を向上させたブッシュを提供する。【解決手段】ブッシュ５０は、外筒６０と内筒７０とそれらの間の弾性体８０とを備え、外筒は、軸方向の中央部６３で半径方向に内周面から窪んだ中央凹部６２を有し、かつ、両端部６４の厚みが中央部の厚みよりも厚く、中央凹部は、軸方向に沿った断面視において、表面形状が曲線形状又は曲線及び直線を組み合わせた形状に形成されるとともに、内筒の軸から最も離れた頂点Ｖは曲線上に位置し、内筒は、軸方向の中央部７３の中央凹部に対応する位置で半径方向に外周面７１から膨出する中央凸部７２を有し、中央凸部は、軸方向に沿った断面視において、曲線形状又は曲線及び直線を組み合わせた形状に形成されるとともに、最大外径Ｄ２が外筒の内周面の最小内径Ｄ１よりも大きい。【選択図】図３
2020056481.tif 000002
【特許請求の範囲】
【請求項１】
ブッシュであって、
外筒と、内筒と、前記外筒と前記内筒との間に設けられた弾性体と、を備え、
前記外筒は、前記内筒の軸と同心に又は前記内筒の軸に対して偏心して形成された一定半径の円筒状の内周面を有するとともに、軸方向の中央部で軸方向に直交する半径方向に前記内周面から窪んだ中央凹部を有し、かつ、両端部の厚みが中央部の厚みよりも厚く、
前記中央凹部は、軸方向に沿った断面視において、表面形状が曲線形状又は曲線及び直線を組み合わせた形状に形成されるとともに、前記内筒の軸から最も離れた頂点は曲線上に位置し、
前記内筒は、軸方向の中央部の前記中央凹部に対応する位置で軸方向に直交する半径方向に外周面から膨出する中央凸部を有し、
前記中央凸部は、軸方向に沿った断面視において、曲線形状又は曲線及び直線を組み合わせた形状に形成されるとともに、最大外径が前記外筒の前記内周面の最小内径よりも大きい、
ことを特徴とするブッシュ。
【請求項２】
前記中央凹部の曲線は、軸方向に沿った断面視において、前記内筒の軸から半径方向に偏位する第１位置を中心とする円弧で形成され、
前記中央凸部の曲線は、軸方向に沿った断面視において、前記内筒の軸から半径方向に偏位し、前記第１位置とは異なる第２位置を中心とする円弧で形成される、
ことを特徴とする請求項１に記載のブッシュ。
【請求項３】
前記中央凸部の前記円弧の半径は、前記中央凹部の前記円弧の半径よりも小さい、
ことを特徴とする請求項２に記載のブッシュ。
【請求項４】
前記外筒は、一定半径の円筒状の外周面を前記中央凹部に対応する位置に有する、
ことを特徴とする請求項１から３のいずれか１項に記載のブッシュ。
【請求項５】
前記弾性体は、前記外筒及び前記内筒の双方に接着されている、
ことを特徴とする請求項１から４のいずれか１項に記載のブッシュ。
【請求項６】
車両用サスペンション装置であって、
車輪を回転可能に支持するナックルと車体との間に設けられ、前記車輪を上下方向に変位可能に位置決めするアーム部材と、
前記アーム部材を前記車体に対して揺動可能に支持するとともに、車両前後方向に離間して配設された２つのブッシュとを有し、
前記２つのブッシュのうち一方は、
前記車体または前記アーム部材のうち一方に固定された外筒と、前記車体または前記アーム部材のうち他方に固定された内筒と、前記外筒と前記内筒との間に設けられた弾性体と、を備え、
前記外筒は、前記内筒の軸と同心に又は前記内筒の軸に対して偏心して形成された一定半径の円筒状の内周面を有するとともに、軸方向の中央部で軸方向に直交する半径方向に前記内周面から窪んだ中央凹部を有し、かつ、両端部の厚みが中央部の厚みよりも厚く、
前記中央凹部は、軸方向に沿った断面視において、表面形状が曲線形状又は曲線及び直線を組み合わせた形状に形成されるとともに、前記内筒の軸から最も離れた頂点は曲線上に位置し、
前記内筒は、軸方向の中央部の前記中央凹部に対応する位置で軸方向に直交する半径方向に外周面から膨出する中央凸部を有し、
前記中央凸部は、軸方向に沿った断面視において、曲線形状又は曲線及び直線を組み合わせた形状に形成されるとともに、最大外径が前記外筒の前記内周面の最小内径よりも大きく、
前記２つのブッシュのうち他方は、
車両走行時に前記車輪に加わる外力により生じる、前記一方のブッシュを中心とした前記アーム部材の回動を許容するよう構成されている、
ことを特徴とする車両用サスペンション装置。
【発明の詳細な説明】
【技術分野】
【０００１】
本発明は、ブッシュ特に防振用のブッシュ、及び車両用サスペンション装置に関する。
【背景技術】
【０００２】
従来より、例えば、自動車のサスペンションを構成する各種パーツの取付け部に介在させる防振用のブッシュが知られている。ブッシュは、振動吸収やサスペンションの位置決めの役割があり、相対的に低い周波数の振動は、スプリングやダンパ等の大きなパーツで吸収されるのに対し、相対的に高い周波数の振動は、小さなパーツであるブッシュ等で吸収される。
【０００３】
ブッシュは、軸方向に中空で金属製の内筒と、その内筒の外周面に固着された弾性体（ゴム等）と、その弾性体の外周面に固着された金属製の外筒とを備えている。そして、ブッシュは、防振連結される各種パーツの一方が内筒に取り付けられるとともに、防振連結される各種パーツの他方が外筒に取り付けられることにより、取付け部に装着される。この際に必要となる、他方のパーツの装着穴に挿入した際のストッパー機能のために、外筒を絞り成形することによって、端部及びフランジ部を設け、フランジ部の周囲に弾性体（ゴム）を設けることによって、ストッパー機能を発揮する技術が開示されている（例えば、特許文献１参照）。
【０００４】
しかしながら、特許文献１は、装着穴に装着した状態で内筒の軸方向に力が作用した場合、外筒が変形することによって、内筒に対するストッパー機能が消失することから、ブッシュの耐久性に問題があった。また、ブッシュのストッパー機能が十分に発揮できないと、車両に入力される種々の外力に対して車輪の挙動を規定するよう設計されているサスペンションの性能を、十分に発揮しきれない恐れもあった。
【先行技術文献】
【特許文献】
【０００５】
【特許文献１】実開平３−１２０２９号公報
【発明の概要】
【発明が解決しようとする課題】
【０００６】
本発明は、上述のような課題に鑑みなされたものであり、外筒の内筒に対する自己完結型ストッパー機能を向上させたブッシュを提供することを目的とする。また、車両走行中の挙動に規則性を持たせることができかつ耐久性の高いブッシュを備えたフロントサスペンション装置を提供することを目的とする。
【課題を解決するための手段】
【０００７】
本発明は、上記目的を達成するために、以下の構成によって把握される。
（１）本発明の第１の観点は、ブッシュであって、外筒と、内筒と、前記外筒と前記内筒との間に設けられた弾性体と、を備え、前記外筒は、前記内筒の軸と同心に又は前記内筒の軸に対して偏心して形成された一定半径の円筒状の内周面を有するとともに、軸方向の中央部で軸方向に直交する半径方向に前記内周面から窪んだ中央凹部を有し、かつ、両端部の厚みが中央部の厚みよりも厚く、前記中央凹部は、軸方向に沿った断面視において、表面形状が曲線形状又は曲線及び直線を組み合わせた形状に形成されるとともに、前記内筒の軸から最も離れた頂点は曲線上に位置し、前記内筒は、軸方向の中央部の前記中央凹部に対応する位置で軸方向に直交する半径方向に外周面から膨出する中央凸部を有し、前記中央凸部は、軸方向に沿った断面視において、曲線形状又は曲線及び直線を組み合わせた形状に形成されるとともに、最大外径が前記外筒の前記内周面の最小内径よりも大きい、ことを特徴とする。
【０００８】
（２）上記（１）の構成において、前記中央凹部の曲線は、軸方向に沿った断面視において、前記内筒の軸から半径方向に偏位する第１位置を中心とする円弧で形成され、前記中央凸部の曲線は、軸方向に沿った断面視において、前記内筒の軸から半径方向に偏位し、前記第１位置とは異なる第２位置を中心とする円弧で形成される。
【０００９】
（３）上記（２）の構成において、前記中央凸部の前記円弧の半径は、前記中央凹部の前記円弧の半径よりも小さい。
【００１０】
（４）上記（１）から（３）のいずれか１つの構成において、前記外筒は、一定半径の円筒状の外周面を前記中央凹部に対応する位置に有する。
【００１１】
（５）上記（１）から（４）のいずれか１つの構成において、前記弾性体は、前記外筒及び前記内筒の双方に接着されている。
【００１２】
（６）本発明の第２の観点は、車両用サスペンション装置であって、車輪を回転可能に支持するナックルと車体との間に設けられ、前記車輪を上下方向に変位可能に位置決めするアーム部材と、前記アーム部材を前記車体に対して揺動可能に支持するとともに、車両前後方向に離間して配設された２つのブッシュとを有し、前記２つのブッシュのうち一方は、前記車体または前記アーム部材のうち一方に固定された外筒と、前記車体または前記アーム部材のうち他方に固定された内筒と、前記外筒と前記内筒との間に設けられた弾性体と、を備え、前記外筒は、前記内筒の軸と同心に又は前記内筒の軸に対して偏心して形成された一定半径の円筒状の内周面を有するとともに、軸方向の中央部で軸方向に直交する半径方向に前記内周面から窪んだ中央凹部を有し、かつ、両端部の厚みが中央部の厚みよりも厚く、前記中央凹部は、軸方向に沿った断面視において、表面形状が曲線形状又は曲線及び直線を組み合わせた形状に形成されるとともに、前記内筒の軸から最も離れた頂点は曲線上に位置し、前記内筒は、軸方向の中央部の前記中央凹部に対応する位置で軸方向に直交する半径方向に外周面から膨出する中央凸部を有し、前記中央凸部は、軸方向に沿った断面視において、曲線形状又は曲線及び直線を組み合わせた形状に形成されるとともに、最大外径が前記外筒の前記内周面の最小内径よりも大きく、前記２つのブッシュのうち他方は、車両走行時に前記車輪に加わる外力により生じる、前記一方のブッシュを中心とした前記アーム部材の回動を許容するよう構成されている、ことを特徴とする。
【発明の効果】
【００１３】
本発明によれば、外筒の中央凹部が、弾性体を挟んで、内筒の中央凸部を包み込むような態様となり、外筒と内筒のラップ構造を実現でき、かつ外筒の軸方向両端部の厚みが中央部よりも厚く構成されていることから、外筒の内筒に対する自己完結型ストッパー機能を向上させたブッシュを提供することができる。また、車両走行中の挙動に規則性を持たせることができかつ耐久性の高いブッシュを備えたフロントサスペンション装置を提供することができる。
【図面の簡単な説明】
【００１４】
【図１】本発明の実施形態に係るブッシュを採用した自動車のサスペンションの一部を示す斜視図である。
【図２】本発明の実施形態に係るブッシュを採用したサスペンションシステムにおける、走行時のサスペンション挙動を示す模式図であって、（ａ）は前後方向の外力に対する挙動を、（ｂ）は左右方向の外力に対する挙動を、それぞれ示す。
【図３】本発明の実施形態に係るブッシュの（Ｘ）軸方向に沿った断面図である。
【図４】ブッシュの側面図であって、外筒と内筒が同心である場合を示す図である。
【図５】ブッシュの側面図であって、外筒と内筒が（ｙ）軸方向に偏心している場合を示す図である。
【図６】ブッシュの絞り加工前と絞り加工後を一般的に説明する図である。
【図７】ブッシュの第１絞り加工を説明する図である。
【図８】ブッシュの第２及び第３絞り加工を説明する図である。
【図９】ブッシュの特性を示すグラフである。
【発明を実施するための形態】
【００１５】
以下、本発明を実施するための形態（以下、「実施形態」という）を、添付図面に基づいて詳細に説明する。なお、実施形態の説明の全体を通して同じ要素には同じ番号を付している。
【００１６】
（サスペンション）
図１は、自動車のフロントサスペンション１の例を示している。ここではフロントサスペンション１として、いわゆるストラット式のサスペンションが採用された例を示している。また、サスペンションシステムの車両進行方向Ｆの右側の図示は一部省略しているが、左側のものと基本的に対称の構成を有している。
【００１７】
ストラット式サスペンションは周知のものであるため、その概略についてのみ説明する。左側の前輪Ｔは、回転可能にナックル２に支持されている。ナックル２は、アーム３に、ステアリングホイール（不図示）の回転により変位するタイロッド４（操舵機構）により転舵可能に支持されている。アーム３の、ナックル２とは反対側の端部は、車両前後方向に離間した２つのブッシュ５ａ，５ｂによりサブフレーム６（車体）に支持されている。また、ナックル２とその上方の車体部材（図示省略）との間には、コイルダンパ７が設けられている。
【００１８】
このような構成により、車両走行時に前輪に上下方向の変位が生じると、アーム３の、２つのブッシュ５ａ，５ｂを結ぶ線分を中心とした揺動により、所定の軌跡に沿って車輪（前輪Ｔ）の変位が生じることになる。
【００１９】
２つのブッシュ５ａ，５ｂのうち、前方側ブッシュ５ａは、後述するように、外筒６０と、内筒７０と、外筒６０と内筒７０との間に設けられた弾性体８０とを備えている。その配設向きは、軸方向が車両の前後方向に略沿うようにされている。内筒７０はサブフレーム６に、外筒６０はアーム３に固定されている。
【００２０】
２つのブッシュ５ａ，５ｂのうち、後方側ブッシュ５ｂは、前方側ブッシュ５ａと同様に外筒６０、内筒７０、及びそれらの間に設けられた弾性体８０とを備えている。その配設向きは、前方側ブッシュ５ａと異なり、一例として軸方向が上下方向となるようにされているとともにすぐり部５ｃ（弾性体８０に開けられた空間部）が設けられており、アーム３の水平方向の変位を、前方側ブッシュ５ａよりも許容するよう構成されている。
【００２１】
２つのブッシュ５ａ，５ｂの上記のような構成と配置によって、車両走行時（車両進行方向Ｆ）に車輪に対して種々の方向に加わる外力によるアーム３の水平方向の変位は、図２（位置決め機能を示しており、（ａ）は前後方向の外力に対する挙動を、（ｂ）は左右方向の外力に対する挙動を、それぞれ示す）に示すように、前方側ブッシュ５ａを中心とした回動変位が主となる。このため、車両走行中のフロントサスペンション１の挙動に規則性がもたらされ、ドライバの予見性を向上させることができる。また、そのようなサスペンション装置の挙動に起因した、操舵機構とステアリングホイールを介してドライバが感じる手応え感も規則性のあるものとなり、ドライバに対して安心感や安定感を与えることができる。
【００２２】
（ブッシュ）
ところで、上記のようなアーム３の挙動を生じさせる場合、前方側ブッシュ５ａは、アーム３の水平方向の回動を積極的に許容し自己完結型ストッパー機能を構造させているため、耐久性確保のための工夫が必要となる。以下、２つのブッシュ５ａ，５ｂについて、図３から図５を用いて説明する。なお、以下では、ブッシュ５ａ，５ｂをまとめてブッシュ５０として説明するが、ブッシュ５０は、上記したフロントサスペンション１に用いられるものに限定されるわけではなく、広く種々のサスペンションに用いられるものである。
【００２３】
図３は、ブッシュ５０の断面図を示している。ブッシュ５０は、外筒６０と、内筒７０と、外筒６０と内筒７０との間に設けられた弾性体８０とを備える。図３では、内筒７０の（ｘ）軸方向中心と外筒６０の（ｘ）軸方向中心が一致した位置に設けられている態様を示しているが、本実施形態の要旨の適用にあたっては、外筒６０は、内筒７０の（ｘ）軸方向中心に対して両端部７４のいずれか一方に片寄って位置する態様であってもよい。いずれの態様とするかは、ブッシュ５０が自動車に実装される際の諸条件に応じて選択すればよい。
【００２４】
以下の説明では、外筒６０の両端部６４の間という意味において外筒６０の中央部６３と、また、内筒７０の両端部７４の間という意味において内筒７０の中央部７３という用語を用いている。したがって、外筒６０の中央凹部６２及び内筒７０の中央凸部７２が内筒７０の（ｘ）軸方向中心に対して両端部７４のいずれか一方に片寄って位置するような場合も含めて、中央凹部６２及び中央凸部７２と呼称している。
【００２５】
また、図３では、図４の側面図に示すように、外筒６０と内筒７０は中心Ｏにおいて同心する（オフセットなし）ように描画しているが、図５の側面図に示すように、外筒６０と内筒７０は、外筒６０の中心Ｏ１、内筒７０の中心Ｏ２というように（ｙ）軸方向に互いに偏心して形成されてもよい（オフセットあり）。この点についても、ブッシュ５０が自動車に実装される際の諸条件に応じて選択すればよく、本実施形態の要旨はいずれの態様にも適用されるものである。
【００２６】
図３に戻り、ブッシュ５０について、詳しく説明する。外筒６０は、内筒７０の（ｘ）軸と同心に又は内筒７０の（ｘ）軸に対して偏心して形成された一定半径の円筒状の内周面６１を有する。そして、外筒６０は、（ｘ）軸方向の中央部６３で（ｘ）軸方向に直交する半径方向（すなわち（ｙ）軸方向）に内周面６１から窪んだ中央凹部６２を有しており、かつ、両端部６４の厚みが中央部６３の厚みよりも厚く形成されている。外筒６０は、一定半径の円筒状（表面がストレート）の外周面６５を中央凹部６２に対応する位置に有する。
【００２７】
図３では、外筒６０の中央凹部６２の曲線について、（ｘ）軸方向に沿った断面視において、内筒７０の（ｘ）軸から半径方向（すなわち（ｙ）軸方向）に偏位する第１位置Ｃ１を中心とする半径Ｒ１の円弧状を例示している。しかし、この点、中央凹部６２は、（ｘ）軸方向に沿った断面視において、表面形状が円弧状以外の曲線形状又は曲線及び直線を組み合わせた形状に形成されてもよい。外筒６０の中央凹部６２の曲線上には、内筒７０の（ｘ）軸から最も離れた頂点Ｖが位置する。
【００２８】
一方、内筒７０は、（ｘ）軸方向の中央部７３において、外筒６０の中央凹部６２に対応する位置で（ｘ）軸方向に直交する半径方向（すなわち（ｙ）軸方向）に外周面７１から膨出する中央凸部７２（「バルジ」ともいう）を有する。
【００２９】
図３では、外筒６０の中央凹部６２の曲線と同様に、内筒７０の中央凸部７２の曲線について、（ｘ）軸方向に沿った断面視において、内筒７０の中央凸部７２の曲線は、内筒７０の（ｘ）軸から半径方向（すなわち（ｙ）軸方向）に偏位し、第１位置Ｃ１とは異なる（同心ではない）第２位置Ｃ２を中心とする半径Ｒ２の円弧状を例示している。しかし、この点も中央凹部６２と同様に、（ｘ）軸方向に沿った断面視において、円弧状以外の曲線形状又は曲線及び直線を組み合わせた形状に形成されてもよい。
【００３０】
ここで、内筒７０の中央凸部７２の最大外径Ｄ２は、外筒６０の内周面６１の最小内径Ｄ１よりも大きく形成されている。中央凸部７２の最大外径Ｄ２とは、図中上下における、外筒６０の中央凹部６２の曲線上に位置する内筒７０の（ｘ）軸から最も離れた２つの点、すなわち中央凸部７２の２つの頂点Ｖ間の距離である。また、外筒６０の内周面６１の最小内径Ｄ１とは、中央凹部６２を除いた内周面６１における内筒７０の（ｘ）軸から最も近い２つの点間の距離である。
【００３１】
以上のような構成から、図３の破線によって示されているように、ブッシュ５０は、外筒６０の中央凹部６２が、弾性体８０を挟んで、内筒７０の中央凸部７２を包み込むような態様となり、外筒６０と内筒７０のラップ構造を獲得することができる。
【００３２】
ブッシュ５０は、このラップ構造を獲得することにより、外筒６０の内筒７０に対する自己完結型ストッパー機能を向上させることができ、従来のブッシュで設定されているようなストッパーを廃止することで、異音等の不具合を防止することができる。また、従来の発明にあるラップ構造を持たないバルジ構造のブッシュでは、特性の調整はできてもストッパーとしての機能は果たすことができないのに対し、ブッシュ５０は、ストッパー機能が向上するとともに、従来の発明で謳われている軸直／軸方向の特性を高めたり、こじり方向の特性を低めたりする機能も有している。
【００３３】
また、ブッシュ５０は、外筒６０に中央凹部６２が形成され、両端部６４の厚みが中央部６３の厚みよりも厚く形成されていることから、この肉厚差によって、ストッパーの強度を上げて、入力荷重が増えても機能を維持できる。ストッパー効果を一層高めるため、ブッシュ５０を圧入する圧入相手部品Ｐ（例えば、アーム３など）の圧入口の長さＷ２は、ブッシュ５０の外筒６０の長さＷ１と同等か又はより長くし、外筒６０の全体を包み込むことが望ましい。
【００３４】
さらに、外筒６０に肉厚差を設けたことで、外周面６５の表面をストレートにして圧入性能を損ねることなく、内周面６１を自由に形状設定でき、特性の調整自由度を広げることができる。また、内筒７０と外筒６０間に設定される弾性体８０のひずみを下げる形状設定ができ、耐久性を向上させることができる。例えば、前述した、中央凹部６２と中央凸部７２（バルジ）を構成する曲線を、互いに同心ではない第１位置Ｃ１と第２位置Ｃ２を中心とする半径Ｒの円弧状とし、中央凸部７２（バルジ）の半径Ｒ２を中央凹部６２の半径Ｒ１より小さくすることによって、弾性体８０の肉厚が中央凸部７２の頂点Ｖに対応する部位を最薄部として徐々に増えていくことで耐久性を改善させることができる。
【００３５】
弾性体８０は、後述するように、外筒６０の内周面６１及び内筒７０の外周面７１の双方に接着されている。従来の発明のように、外筒のフランジ部に設けたゴムとブッシュの周辺部品間で、ストッパー機能を持たせる場合、接触時にスティックスリップ（「びびり」と言われる振動現象）による異音発生の問題があるが、ブッシュ５０は、外筒６０の内周面６１及び内筒７０の外周面７１の双方に接着されており、自己完結ストッパー機能によってスティックスリップを発生させず、ひいては異音を発生させないことができる。
【００３６】
以上説明したラップ構造は、絞り加工による外筒６０の縮径で設定することができる。絞り加工はゴムのインサート成形（加硫成形）の前後どちらで行ってもよいが、詳しくは項をあらためて次に説明する。
【００３７】
（絞り加工）
次に、上記で説明したラップ構造の造成に係る絞り加工について、図６から図８を用いて説明する。図６は、絞り加工を概念的に説明する図であって、ラップ構造を設けていないブッシュ５０Ａを例にとって図示したものである。（ａ）は、外筒６０Ａと内筒７０Ａと弾性体８０Ａをインサート成形（加硫成形）した後であって絞り加工を施す前のブッシュ５０Ａ、（ｂ）は、インサート成形後に絞り加工を施したブッシュ５０Ａである。絞り加工は、一般に、弾性体８０Ａのゴム収縮を取る目的や、その耐久性を向上する目的で、外筒６０Ａに対し縮径方向に施される。
【００３８】
本実施形態では、ブッシュ５０にラップ構造を付与するに際し、３つの絞り加工が可能である。まず、第１絞り加工について、図７を用いて説明する。第１絞り加工は、インサート成形後に絞り加工を施してラップ構造を設けるものである。
【００３９】
図７（ａ）は、外筒６０と内筒７０と弾性体８０をインサート成形した後であって絞り加工を施す前のブッシュ５０、図７（ｂ）は、インサート成形後に絞り加工を施したブッシュ５０を示している。外筒６０に対し縮径を施す絞り加工によって、内筒７０の中央凸部７２が外筒６０の中央凹部６２に弾性体８０を挟んで包み込まれ、ラップ構造（破線参照）が造成される。
【００４０】
外筒６０及び内筒７０は、化成処理、接着剤塗布を終えた後、弾性体８０とともに、金型を用いて所望の形状のブッシュ５０を得るべくインサート成形される。次に、得られた成形品に対し、バリ取りなどの仕上げを終えた後、絞り加工を施す。そして、検査をパスしたブッシュ５０は、梱包され、出荷される。
【００４１】
次に、第２絞り加工について、図８を用いて説明する（図８は、第３絞り加工と兼用）。第２絞り加工は、インサート成形前に１回目の絞り加工を施すとともに、インサート成形後に２回目の絞り加工を施してラップ構造を設けるものである。
【００４２】
図８（ａ）は、外筒６０と内筒７０と弾性体８０をインサート成形する前であって絞り加工を施す前のブッシュ５０、図８（ｂ）は、インサート成形する前に絞り加工を施したブッシュ５０、図８（ｃ）は、インサート成形後に絞り加工を施したブッシュ５０を示している。第２絞り加工は、図８（ａ）から図８（ｃ）までが該当する。２回の絞り加工により、第１絞り加工と同様に、外筒６０に対し縮径を施す絞り加工によって、内筒７０の中央凸部７２が外筒６０の中央凹部６２に弾性体８０を挟んで包み込まれ、ラップ構造（破線参照）が造成される。
【００４３】
第２絞り加工においては、外筒６０及び内筒７０の化成処理、接着剤塗布を終えた後、弾性体８０とともにインサート成形される前の１回目の絞り加工が施される。そして、１回目の絞り加工が施された後にそれらをインサート成形する。次に、得られた成形品に対し、バリ取りなどの仕上げを終えた後、インサート成形後の２回目の絞り加工を施す。そして、検査をパスしたブッシュ５０は、梱包され、出荷される。
【００４４】
第３絞り加工は、インサート成形前に絞り加工を施してラップ構造を設けるものである。第３絞り加工については、図８（ａ）及び図８（ｂ）を援用することにより、その説明は省略する。
【００４５】
上記のように構成されたブッシュ５０の特性を、図９（ａ）及び（ｂ）に示す。図９（ａ）は、横軸にブッシュ５０の軸方向の内筒７０と外筒６０の相対変位量、縦軸にブッシュ５０の軸方向の内筒７０と外筒６０の相対変位に対する反力の大きさを示している。また、図９（ｂ）は、縦軸に内筒７０の外筒６０に対する相対回転時のモーメント、横軸に内筒７０の外筒６０に対する相対回転角を示している。図中、実線は本実施形態に係るブッシュ５０、破線は従来のラップ構造を持たないブッシュの特性である。
【００４６】
図９（ａ）から分かるように、本実施形態に係るブッシュ５０は、従来のブッシュに比して、内筒７０と外筒６０の軸方向の相対変位量が小さい領域から反力が立ち上がる。また、図９（ｂ）から分かるように、本実施形態にかかるブッシュ５０は、従来のブッシュに比して、内筒７０の外筒６０に対する相対回転時のモーメントが小さくても大きな相対回転角が得られる。
【００４７】
このことは、図１に示すフロントサスペンション１を備えた車両の走行時、車輪からブッシュ５０の軸方向（車両前後方向）に対して外力が加わった際に、ブッシュ５０の軸方向の相対変位、ひいてはアーム３の前後方向の変位が生じにくい（自己完結機能が高い）こと、またブッシュ５０の相対回転、ひいては水平面内のアーム３の回転挙動が生じやすいこと、を意味する。つまり、車幅方向の外力のみならず車両前後方向の外力に対してもアーム３の回転挙動が生じやすく、車両走行中のフロントサスペンション１の挙動に規則性（回転挙動を主とした挙動）がもたらされ、ドライバの予見性を向上させることができることになる。
【００４８】
以上、実施形態を用いて本発明を説明したが、本発明の技術的範囲は上記実施形態に記載の範囲には限定されないことは言うまでもない。上記実施形態に、多様な変更又は改良を加えることが可能であることが当業者に明らかである。また、その様な変更又は改良を加えた形態も本発明の技術的範囲に含まれ得ることが、特許請求の範囲の記載から明らかである。
【符号の説明】
【００４９】
１…フロントサスペンション
２…ナックル
３…アーム
４…タイロッド
５ａ…前方側ブッシュ
５ｂ…後方側ブッシュ
５ｃ…すぐり部
６…サブフレーム
７…コイルダンパ
５０…ブッシュ
６０…外筒
６１…内周面（外筒の）
６２…中央凹部（外筒の）
６３…中央部（外筒の）
６４…両端部（外筒の）
６５…外周面（外筒の）
７０…内筒
７１…外周面（内筒の）
７２…中央凸部（内筒の）
７３…中央部（内筒の）
７４…両端部（内筒の）
８０…弾性体
【図１】
2020056481.tif 000003
【図２】
2020056481.tif 000004
【図３】
2020056481.tif 000005
【図４】
2020056481.tif 000006
【図５】
2020056481.tif 000007
【図６】
2020056481.tif 000008
【図７】
2020056481.tif 000009
【図８】
2020056481.tif 000010
【図９】
2020056481.tif 000011